(57)【要約】【課題】電柱の位置情報に基づく電柱状況を管理するシステムである。【解決手段】携帯電話からの位置と画像情報を基に、情報サーバが「管理データベース」を作成し、この「管理データベース」に備考欄を設けて、電柱の状態である新規、更新、撤去の区別する。【選択図】図２
2010238001.tif 000002
【特許請求の範囲】
【請求項１】
携帯電話に付設のカメラ機能およびＧＰＳ機能を利用のアプリケーションソフトウエアを用いて、現場からの現場情報（画像）および電柱位置情報を携帯電話から情報サーバへ送信し、電柱情報に基づいて電柱位置情報や現場情報を「管理データベース」に蓄積し、前記情報サーバに有線または無線接続されたクライアントマシンでその情報を把握できるシステムであり、
前記電柱情報に基づいて電柱の状態である新規、更新、撤去の区別を備考欄に記載する電柱の状況管理システム。
【請求項２】
請求項１の電柱の状況管理システムであって、携帯電話から電柱が新規、更新又は撤去である旨の区分情報を情報サーバに送信する電柱の状況管理システム。
【請求項３】
請求項１又は請求項２の電柱の状況管理システムであって、電柱が新規である場合には、「管理データベース」における電柱の位置情報から、新たな電柱情報を作成する電柱の状況管理システム。
【発明の詳細な説明】
【技術分野】
【０００１】
本発明は、位置情報に基づいて、その位置における電柱状況を管理するシステムに関する。
【背景技術】
【０００２】
従来、電柱状況管理は、携帯電話端末のカメラ機能およびＧＰＳ機能を利用し、現場情報（電柱等を含む現場の画像等）及び位置情報などを取得して、それらの情報を情報サーバに送信して、その情報サーバに前記現場情報等を蓄積・自動収集するとともに、クライアントマシンで、それらの情報を地図上で一元的に管理できるシステムが既に考案されている。
【先行技術文献】
【非特許文献】
【０００３】
【非特許文献１】マルティスープ社のMshot Location(R)
【発明の概要】
【発明が解決しようとする課題】
【０００４】
電柱位置を基準に、電柱の現場情報等を管理する場合、家屋の新築などの理由で、その電柱の位置が変更されたり、電柱が撤去されたり、新たに電柱が新設されたりするなど、電柱の現場情報や電柱位置情報等のデータベースを補正・更新する必要がある。
また、情報サーバに蓄積されている電柱の現場情報や電柱位置情報等は、電柱の位置が変更されたりしたときには修正する必要がある。そこで、変更された電柱位置情報等を維持・管理するに当たって、簡易に実施できるシステムが求められている。
また、従来のシステムでは、携帯電話端末から送られた現場情報や電柱位置情報は、電柱番号に基づいて情報サーバに蓄積するようにしているが、電柱番号が滅失した番号滅失電柱は、電柱番号に基づいて情報サーバに蓄積することができなかった。
そこで、本発明は、前記課題を解決する電柱の状況管理システムを提供する。
【課題を解決するための手段】
【０００５】
上記課題を解決するために、請求項１の発明は、携帯電話に付設のカメラ機能およびＧＰＳ機能を利用のアプリケーションソフトウエアを用いて、現場からの現場情報（画像等）および電柱位置情報を携帯電話から情報サーバへ送信し、電柱情報に基づいて電柱位置情報や現場情報を「管理データベース」に蓄積し、前記情報サーバに有線または無線接続されたクライアントマシンでその情報を把握できるシステムである。そして、電柱情報に基づいて電柱の状態である新規、更新、撤去の区別を備考欄に記載することによって、電柱の状態が判る。
又、請求項２の発明は、請求項１の電柱の状況管理システムであって、携帯電話から電柱が新規、更新又は撤去である旨の区分情報を情報サーバに送信することによって、情報サーバは、送信された電柱の状況が簡便に判る。
又、請求項３の発明は、請求項１又は請求項２の電柱の状況管理システムであって、電柱が新規である場合には、「管理データベース」における電柱の位置情報から、新たな電柱情報を作成するので、新規な電柱の入力作業を軽減できる。
【発明の効果】
【０００６】
情報サーバにより「管理データベース」を作成するので、クライアントマシンから容易に、電柱の状況を把握することができる。
【図面の簡単な説明】
【０００７】
【図１】本発明に係るシステムの概略構成図である。
【図２】（Ａ）は既存の管理データベースの図、（Ｂ）は電柱状況が変更後の管理データベースの図である。
【発明を実施するための形態】
【０００８】
以下、本発明を実施するための最良の形態について図面を参照しながら説明する。
図１は本発明に係るシステムの概略構成図を示し、情報サーバ３０は記憶装置４０を備え、この記憶装置４０には電柱に関する情報が記憶される共に、情報サーバ、クライアントマシン及び携帯電話からの情報に関する電柱の状況管理システムを実施するソフトウエアが記憶されている。
又、クライアントマシン５０は、情報サーバ３０と回線網を介して接続されていて、このクライアントマシン５０には、電柱の状況管理システムを実施するソフトウェアが記憶されている。
又、携帯電話端末１０から発信される現場情報等は、受信基地局２０ａ、発信基地局２０ｂを介して前記情報サーバ３０と回線網を介して接続されている。
【０００９】
図２は、電柱の状況管理をなす「管理データベース」であり、図２（Ａ）は平常状態の「管理データベース」であり、図２（Ｂ）は電柱の新設、更新等があったときの「管理データベース」である。
この図２に示す「管理データベース」には、電柱の「更新、新規、撤去、損傷」等の状態を示す備考欄、過去に電柱を撤去したことがあり、撤去したときには「１」が記載されている撤去フラグ、電柱の識別を示す「電柱情報」、電柱の位置を示す「電柱位置情報」、電柱がある住所（管理管内）、電柱の状況画像を記憶する電柱の画像データ名（データファイル名を記載）がある。
【００１０】
次に、前記携帯電話からの「位置情報と現場情報（画像等）」に対する情報サーバ３０による「管理データベース」（図２）の作成について説明する。
（ａ）電柱情報が「管理データベース」にある場合（電柱の確認）
作業者は、携帯電話端末のカメラ機能およびＧＰＳ機能を利用し、現場情報（電柱等を含む現場の画像等）及び位置情報などを取得する。尚、電柱には、既に、電柱の識別を示す「電柱情報」があるので、カメラ機能によって、その「電柱情報」を画像として取り込む。
そして、携帯電話から、所定の操作によって、前記「電柱情報」とＧＰＳ機能による「電柱位置情報」を情報サーバ３０に向けて発信する。
情報サーバ３０は、「電柱情報」と「電柱位置情報」により「管理データベース」を検索し、係るデータがあることを確認する。尚、この「電柱情報」は、新たに、「管理データベース」に、日時と共に、データファイル名を記憶しておくことが望ましい。
【００１１】
（ｂ）電柱情報が「管理データベース」に無い場合（新設の電柱）
作業者は、携帯電話端末のカメラ機能およびＧＰＳ機能を利用し、現場情報（電柱等を含む現場の画像等）及び位置情報などを取得する。しかし、電柱に、電柱の識別を示す「電柱情報」がある場合と、無い場合がある。
【００１２】
（ｂ-１）「電柱情報」がある場合
この場合には、画像データとして「電柱情報」を含む画像を作成し、「電柱位置情報」と共に情報サーバ３０に向けて発信する。この場合、「電柱情報」（画像）から電柱の識別を示す「電柱情報」をソフトウェアで読み取る場合には、「電柱情報」を送信する必要はないが、係るソフトウェアがない場合には、例えば、送信する前に、区分情報である「＃０１」を添えて「電柱情報」と共に、「＃０１−００Ａ００４」を入力した後に、「送信ボタン」を押す。
ここで、「＊０１」は新設の電柱である旨を示す区分情報であり、「００Ａ００４」は電柱の識別記号である。
【００１３】
情報サーバ３０は、前記「電柱位置情報」から「管理データベース」の位置（ｘ、ｙ）を検索し、「管理データベース」の何れに配置するかを判断する。即ち、情報サーバ３０は位置情報から、ｘ４＜ｘ＜ｘ５、ｙ４＜ｙ＜ｙ５の関係から、挿入すべき位置を決定する。
そして、情報サーバ３０は、新設の電柱に対しては、図２（Ｂ）に示す「管理データベース」のように、備考欄に「新規」と記入すると共に、ＧＰＳからの「電柱位置情報」及び「電柱情報（００Ａ００４）」としてデータを作成すると共に、前記送信された画像データを、この「管理データベース」の画像データ名の欄にデータファイル名を貼り付ける。
【００１４】
（ｂ-２）「電柱情報」がない場合
この場合には、電柱の識別番号である「電柱情報」がないので、情報サーバ３０で作成する必要がある。
そこで、画像データは電柱の画像（「電柱情報」がない）を作成し、「電柱位置情報（ｘ、ｙ）」と共に情報サーバ３０に向けて発信する。
そして、この場合、「電柱情報」がないから、例えば、送信する前に、「＃０１」を入力した後に、「送信ボタン」を押す。
情報サーバ３０は、区分情報である「＃０１」の後に、「電柱情報」が無いから、「電柱位置情報」から「管理データベース」の位置（ｘ、ｙ）を検索し、「管理データベース」の何れに配置するかを判断する。
【００１５】
そして、情報サーバ３０は位置情報から、ｘ４＜ｘ＜ｘ５、ｙ４＜ｙ＜ｙ５の関係から、新たなデータを作成する位置を決めると共に、「電柱情報」を前後の「電柱情報」から決める。この場合、前の「電柱情報」は「００Ａ００４」、後の「電柱情報」は「０１Ａ００６」であり、属する位置を異にすることから、「００Ａ００５」とすることによって、新規な電柱に対する入力を軽減できる。又、その「電柱情報」に対して、携帯電話からの「電柱位置情報」と「画像データ名」を「管理データベース」に記載する。
【００１６】
（ｃ）電柱の更新
この電柱の更新の場合には、既設の電柱を更新するので、電柱の識別を示す「電柱情報」があり、カメラ機能によって、その「電柱情報」を画像として取り込む。
そして、この場合、「電柱更新」であることから、電柱の確認と異なり、例えば、送信する前に、区分情報である「＃０２」を入力した後に、「送信ボタン」を押す。
情報サーバ３０は「電柱位置情報」と「電柱情報」及び「更新」である旨の情報を得る。そこで、情報サーバ３０は、「管理データベース」において、「電柱位置情報」と一致する電柱のデータを検索すると、「電柱位置情報」（ｘ４、ｙ４）が一致して、更新である旨の確認ができる。
そこで、備考欄に、前記「＃０２」に対応する「更新」を記入すると共に、画像データのファイル名を記載する。尚、この更新に当たって、更新日時を記入しておく。
【００１７】
（ｄ）電柱の撤去
この場合、電柱の識別を示す「電柱情報」がある場合とない場合があるので、ある場合にはカメラ機能によって、その「電柱情報」を画像として取り込む。
そして、この場合、「電柱撤去」であることから、電柱の確認と異なり、例えば、送信する前に、区分情報である「＃０３」を入力した後に、「送信ボタン」を押す。
情報サーバ３０は「電柱位置情報」及び「撤去」である旨の情報と、もしあれば「電柱情報」を得るので、「管理データベース」において、「電柱位置情報」と一致する電柱のデータを検索する。
そこで、備考欄に、前記「＃０３」に対応する「撤去」を記入すると共に、「撤去フラグ」に１を記入する。尚、撤去の確認の為に、「電柱情報」（電柱が無くなっている画像）を貼り付ける。
【００１８】
以上のように、電柱が、新規の場合、更新の場合、撤去の場合に対して、携帯電話のカメラ機能による「画像データ名（画像）」、ＧＰＳ機能による「電柱位置情報」に基づいて、情報サーバ３０による「管理データベース」の訂正が簡便に行え、クライアントマシンにより「管理データベース」を見ることができる。
尚、前記備考欄に記載の「新規、更新、撤去」は、確認後に消去して、順次、新たな電柱情報により「管理データベース」を更新する。
【００１９】
なお、本発明はソフトウェアにより実現されるので特に記載しなかったが、携帯電話及び情報サーバのＲＡＭに読み込まれた専用ソフトウェアによりＣＰＵが駆動されてネットワークのインタフェースを介して上記の処理がされることは言及するまでもない。
【符号の説明】
【００２０】
１０  携帯電話端末
３０  情報サーバ
４０  記憶装置
５０  クライアントマシン
【図１】
2010238001.tif 000003
【図２】
2010238001.tif 000004